(57)【要約】      （修正有）【課題】柄と刃先の連結端面を軸方向に嵌め合わせ、柄と刃先とを緊密に結合させ、柄と刃先とを同軸かつ同調に回転させる刃物を提供する。【解決手段】刃物は、柄１および刃先２を備える。柄１は、嵌合端１１の端面１１０の周りに環状に配置され相互に所定間隔を置いて柄１の軸方向に突出する複数の第一突起部１５、および、隣り合う二つの第一突起部１５の間に形成される第一陥没部１６を有する。刃先２は、連結端２１の端面２１０の周りに環状に配置され相互に所定間隔を置いて刃先の軸方向に凹む複数の第二陥没部２４、および、隣り合う二つの第二陥没部２４の間に形成される第二突起部２５を有する。刃先２が柄１に装着されると、第一突起部１５は第二陥没部２４に入り込み、第二突起部２５は第一陥没部１６に入り込み、突起部と陥没部とは交互に結合する。【選択図】図１
0003180135.tif 000002
【実用新案登録請求の範囲】
【請求項１】
柄および刃先を備え、
前記柄は、一端に嵌合端を有し、
前記嵌合端は、端面に形成される嵌合溝および側面に形成され前記嵌合溝に繋がる締付孔を有し、
前記嵌合溝は外向きの開口部、当該開口部から奥へ伸びて形成されたじょうご形部、および、平坦部を有し、
前記刃先は、一端に形成された切削部、および、他端に形成された連結端を有し、
前記連結端は、端面に前記嵌合溝に対応する嵌合部を有し、
前記嵌合部は、前記嵌合溝の前記じょうご形部に対応する錐状部、および、前記嵌合溝の前記平坦部に対応する柱状部を有し、
前記柄は、前記嵌合端の前記端面の周りに環状に配置され相互に所定間隔を置いて前記柄の軸方向に突出する複数の第一突起部、および、隣り合う二つの前記第一突起部の間に形成される第一陥没部を有し、
前記刃先は、前記連結端の前記端面の周りに環状に配置され相互に所定間隔を置いて前記刃先の軸方向に凹む複数の第二陥没部、および、隣り合う二つの前記第二陥没部の間に形成される第二突起部を有し、
前記刃先は、前記嵌合部が前記柄の前記嵌合溝と嵌合し、前記柱状部が前記嵌合溝の前記平坦部と嵌合し、前記錐状部が前記嵌合溝の前記じょうご形部に装着され、締付ユニットが前記締付孔を貫通し前記刃先の前記嵌合部に当接することによって前記柄に固定され、
前記刃先が前記柄に装着されると、前記第一突起部は前記第二陥没部に入り込み、前記第二突起部は前記第一陥没部に入り込み、前記突起部と前記陥没部とは交互に結合することを特徴とする刃物。
【請求項２】
前記締付孔は、前記嵌合溝の前記平坦部に繋がることを特徴とする請求項１に記載の刃物。
【請求項３】
前記刃先の前記柱状部は、側面に形成される陥没溝を有し、
前記陥没溝は、前記錐状部に向かうにしたがって深くなり、
前記締付ユニットは、前記締付孔を貫通し、前記陥没溝に入り込み、前記刃先の前記柱状部に当接することを特徴とする請求項１に記載の刃物。
【請求項４】
前記嵌合溝の前記開口部は、外径が前記柄の前記嵌合端の前記端面の外径より小さく形成されることを特徴とする請求項１に記載の刃物。
【考案の詳細な説明】
【技術分野】
【０００１】
本考案は、刃物に関し、詳しくは着脱式面取り刃物に関するものである。
【背景技術】
【０００２】
従来、特許文献１に記載の面取り刃物が開示されている。
また、図５に示すように、従来の面取り刃物において、刃先４は、締付ユニット６が刃先４の横に当接することによって柄５の差込溝５１に固定される。面取り刃物を使用する際、加工機の駆動によって、柄５と刃先４とが同調作動を行うと、柄５と刃先４とが同時に同軸で回転する。
【先行技術文献】
【特許文献】
【０００３】
【特許文献１】特開２０１０−５６８号公報
【考案の概要】
【考案が解決しようとする課題】
【０００４】
ところが、刃先４に当接する締付ユニット６の方向は刃先４を回転させる柄５の方向に垂直であるため、回転し始まる瞬間に生じたトルクは締付ユニット６と刃先４との間を摩損するだけでなく、刃先４を固定する締付ユニット６の力が落ち、柄５と刃先４とが同調に回転することができなくなる。即ち、柄５と刃先４とが回転し始まる瞬間、時間差が生じ、長期にわたると切削作業の精度に影響を与えるおそれがある。
【０００５】
本考案は、上述した問題を鑑みてなされたものであり、その目的は、柄と刃先の連結端面を軸方向に嵌め合わせ、柄と刃先とを緊密に結合させ、柄と刃先とを同軸かつ同調に回転させる刃物を提供することにある。
【課題を解決するための手段】
【０００６】
刃物は、柄および刃先を備える。
柄は、一端に嵌合端を有する。嵌合端は、端面に形成される嵌合溝および側面に形成され嵌合溝に繋がる締付孔を有する。嵌合溝は、外向きの開口部、開口部から奥へ伸びて形成されたじょうご形部、および、平坦部を有する。
刃先は、一端に形成された切削部、および、他端に形成された連結端を有する。連結端は、端面に嵌合溝に対応する嵌合部を有する。嵌合部は、嵌合溝のじょうご形部に対応する錐状部、および、嵌合溝の平坦部に対応する柱状部を有する。
柄は、嵌合端の端面の周りに環状に配置され相互に所定間隔を置いて柄の軸方向に突出する複数の第一突起部、および、隣り合う二つの第一突起部の間に形成される第一陥没部を有する。
刃先は、連結端の端面の周りに環状に配置され相互に所定間隔を置いて刃先の軸方向に凹む複数の第二陥没部、および、隣り合う二つの第二陥没部の間に形成される第二突起部を有する。
刃先は、嵌合部が柄の嵌合溝と嵌合し、柱状部が嵌合溝の平坦部と嵌合し、錐状部が嵌合溝のじょうご形部に装着され、締付ユニットが締付孔を貫通し刃先の嵌合部に当接することによって柄に固定される。
刃先が柄に装着されると、第一突起部は第二陥没部に入り込み、第二突起部は第一陥没部に入り込み、突起部と陥没部とは交互に結合する。
【図面の簡単な説明】
【０００７】
【図１】本考案の一実施形態による刃物を示す分解斜視図である。
【図２】本考案の一実施形態による刃物を示す斜視図である。
【図３】本考案の一実施形態による刃物の要部を示す断面図である。
【図４】図３のＡ−Ａ線断面図である。
【図５】従来の刃物の要部を示す断面図である。
【考案を実施するための形態】
【０００８】
以下、本考案による実施形態を図面に基づいて説明する。
（一実施形態）
図１から図３に示すように、本考案の一実施形態による刃物は、柄１および刃先２を備える。柄１は一端に嵌合端１１を有する。嵌合端１１は端面１１０に嵌合溝１３を有する。嵌合溝１３は外向きの開口部１２と、開口部１２から奥へ伸びて形成されたじょうご形部１３１および平坦部１３２とを有する。柄１の嵌合端１１は側面に嵌合溝１３の平坦部１３２に繋がる締付孔１４を有する。本実施形態において、嵌合溝１３の開口部１２は、外径が柄１の嵌合端１１の端面１１０の外径より小さく形成される。
【０００９】
刃先２は、一端に形成された切削部２０と、他端に形成された連結端２１とを有する。連結端２１は端面２１０に嵌合溝１３に対応する嵌合部２２を有する。嵌合部２２は嵌合溝１３のじょうご形部１３１に対応する錐状部２２１と、嵌合溝１３の平坦部１３２に対応する柱状部２２２とを有する。嵌合溝１３の平坦部１３２に柱状部２２２を差し込み、かつ嵌合溝１３のじょうご形部１３１に錐状部２２１を差し込む方式によって刃先２は柄１の嵌合溝１３内に装着される。一方、柱状部２２２は、側面の締付孔１４に対応する部位に陥没溝２３を有する。陥没溝２３は錐状部２２１に向かうにしたがって深くなる。刃先２は、締付ユニット３が締付孔１４を貫通し陥没溝２３に入り込み刃先２の嵌合部２２に当接することによって、柄１の嵌合溝１３内に固定される。
【００１０】
柄１の嵌合端１１は、端面１１０の周りに環状に配置された複数の第一突起部１５を有する。第一突起部１５は相互に所定間隔を置いて柄１の軸方向に突出する。本実施形態において、第一突起部１５は、端面１１０の周方向に円弧状に伸び、かつ柄１の軸方向に突出した直方体である。相互に隣り合う二つの第一突起部１５の間は、直方形の弧状陥没溝を呈することによって第一陥没部１６を形成する。刃先２の連結端２１は、端面２１０の周りに環状に配置された複数の第二陥没部２４を有する。第二陥没部２４は相互に所定間隔を置いて刃先２の軸方向に凹む。本実施形態において、第二陥没部２４は端面２１０の周方向に円弧状に伸び、かつ刃先２の軸方向に凹む直方形の弧状陥没溝である。相互に隣り合う二つの第二陥没部２４の間には、直方体を呈する第二突起部２５が形成される。
【００１１】
刃物を組み立てる際、柄１の嵌合溝１３に刃先２の嵌合部２２を差し込み、柄１の第一突起部１５と刃先２の第二陥没部２４とを嵌め合わせ、刃先２の第二突起部２５と柄１の第一陥没部１６とを嵌め合わせる。このとき第一突起部１５、第二突起部２５、第一陥没部１６および第二陥没部２４は図４に示すように交互に結合する。刃物が切削作業を行う際、柄１が高速回転する瞬間、切線方向にトルクが生じる。トルクは柄１の第一突起部１５を介して刃先２の第二陥没部２４に作用することによって刃先２を回転させる。一方、柄１と刃先２とは相互に嵌合されるため、柄１が回転すると、刃先２は同軸かつ同調に回転することができ、締付ユニット３に摩擦または損耗などの影響を与えることなく、長時間にわたって使用した後、刃先２の作業精度が低下することを抑制することができる。
【符号の説明】
【００１２】
１・・・柄、  
１１・・・嵌合端、  
１１０・・・端面、  
１２・・・開口部、  
１３・・・嵌合溝、  
１３１・・・じょうご形部、  
１３２・・・平坦部、  
１４・・・締付孔、  
１５・・・第一突起部、  
１６・・・第一陥没部、  
２・・・刃先、  
２０・・・切削部、  
２１・・・連結端、  
２１０・・・端面、  
２２・・・嵌合部、  
２２１・・・錐状部、  
２２２・・・柱状部、  
２３・・・陥没溝、  
２４・・・第二陥没部、  
２５・・・第二突起部、
３・・・締付ユニット。  
【図１】
0003180135.tif 000003
【図２】
0003180135.tif 000004
【図３】
0003180135.tif 000005
【図４】
0003180135.tif 000006
【図５】
0003180135.tif 000007